(57)【要約】  本発明は利用性増強具１００に関する。さらに特定すれば、ベッドの利用性と美観を増強させる利用性増強具１００に関する。この増強具１００は固定用の支持部材固定機構１０２と、支持部材固定機構１０２に着脱式に取り付けられ、基端１１０と先端１０８とを有した支持部材１０４と、支持部材の先端に連結された連結具１０６とを含んでいる。連結具には補助具１１２が取り付けられる。補助具１１２は身体部を支持し、あるいは装飾物を表示させ、ベッドの利用性と美観を増強させる。【選択図】図４
2007510442.tif 000002
【特許請求の範囲】
【請求項１】
ベッド等の利用性と美観とを増進させる利用性増強具であって、
本増強具の固定用である基端と先端とを有した支持部材と、支持部材の先端と連結した連結具と、を含んで構成され、前記連結具に補助具を連結させ、利用性と美観とを増強させることを特徴とする増強具。
【請求項２】
支持部材と連結され、本増強具を対象物体に固定させる支持部材固定機構をさらに含んでいることを特徴とする請求項１記載の増強具。
【請求項３】
支持部材固定機構は取付部をさらに含んでおり、支持部材を着脱式に搭載させることを特徴とする請求項２記載の増強具。
【請求項４】
支持部材は支持部材固定機構と回動式に連結されており、固定された支持部材固定機構に対して回動できることを特徴とする請求項３記載の増強具。
【請求項５】
停止機構をさらに含んでおり、支持部材固定機構に対する支持部材の回動を阻止することを特徴とする請求項４記載の増強具。
【請求項６】
停止機構は、支持部材の基端に設けられた溝口と、取付部から突起する突起部とを含んでおり、突起部は溝口に進入係合して支持部材固定機構に対する支持部材の回動を阻止することを特徴とする請求項５記載の増強具。
【請求項７】
連結具で連結される補助具をさらに含んでいることを特徴とする請求項６記載の増強具。
【請求項８】
補助具は、ストラップ、柄、鎖、手錠、吊具、キャンドルホルダー、電灯あるいはプラントホルダーであることを特徴とする請求項７記載の増強具。
【請求項９】
補助具は手錠であり、その一部に金属、皮革、毛皮、ロープ、プラスチック、ナイロン、コンポジット材あるいは繊維が使用されていることを特徴とする請求項８記載の増強具。
【請求項１０】
補助具はストラップであり、その一部に皮革、毛皮、ロープ、プラスチック、ナイロン、コンポジット材あるいは繊維が使用されていることを特徴とする請求項９記載の増強具。
【請求項１１】
補助具は幅広帯体であり、第１増強具の連結具並びに第２増強具の連結具と連結されて座部を提供し、利用者を持ち上げるのに利用されることを特徴とする請求項１０記載の増強具。
【請求項１２】
補助具は身体吊具であり、複数の増強具の連結具と連結される複数の取付部を有しており、利用者を持ち上げるのに利用されることを特徴とする請求項１１記載の増強具。
【請求項１３】
支持部材は管体であることを特徴とする請求項１２記載の増強具。
【請求項１４】
支持部材は金属、プラスチック、ナイロン、コンポジット材あるいは繊維で提供されていることを特徴とする請求項１３記載の増強具。
【請求項１５】
支持部材は先端に至る略半ハート型弓形形状部を含んでおり、２体の増強具が並んで使用されると両方で略ハート形状を提供することを特徴とする請求項１４記載の増強具。
【請求項１６】
支持部材固定機構は平坦状であり、マットレスとボックススプリングとの間で挟持されて本増強具を固定させることを特徴とする請求項１５記載の増強具。
【請求項１７】
支持部材に連結された調整機構をさらに含んでおり、本増強具の高さを選択的に調整させ、対象台、マットレス並びに利用者のサイズと高さに合わせることを特徴とする請求項１６記載の増強具。
【請求項１８】
調整機構は望遠鏡型管体あるいはピン調整型管体であることを特徴とする請求項１７記載の増強具。
【請求項１９】
停止機構をさらに含んでおり、支持部材固定機構に対する支持部材の回動を阻止することを特徴とする請求項３記載の増強具。
【請求項２０】
停止機構は、支持部材の基端に設けられた溝口と、取付部から突起する突起部とを含んでおり、突起部は溝口に進入係合して支持部材固定機構に対する支持部材の回動を阻止することを特徴とする請求項１９記載の増強具。
【請求項２１】
支持部材固定機構は平坦状であり、マットレスとボックススプリングとの間で挟持されて本増強具を固定させることを特徴とする請求項２記載の増強具。
【請求項２２】
連結具で連結される補助具をさらに含んでいることを特徴とする請求項１記載の増強具。
【請求項２３】
補助具は、ストラップ、柄、鎖、手錠、吊具、キャンドルホルダー、電灯あるいはプラントホルダーであることを特徴とする請求項２２記載の増強具。
【請求項２４】
補助具は手錠であり、その一部に金属、皮革、毛皮、ロープ、プラスチック、ナイロン、コンポジット材あるいは繊維が使用されていることを特徴とする請求項２２記載の増強具。
【請求項２５】
補助具はストラップであり、その一部に皮革、毛皮、ロープ、プラスチック、ナイロン、コンポジット材あるいは繊維が使用されていることを特徴とする請求項２２記載の増強具。
【請求項２６】
補助具は幅広帯体であり、第１増強具の連結具並びに第２増強具の連結具と連結されて座部を提供し、利用者を持ち上げるのに利用されることを特徴とする請求項２２記載の増強具。
【請求項２７】
補助具は身体吊具であり、複数の増強具の連結具と連結される複数の取付部を有しており、利用者を持ち上げるのに利用されることを特徴とする請求項２２記載の増強具。
【請求項２８】
支持部材は支持部材固定機構と回動式に連結されており、固定された支持部材固定機構に対して回動できることを特徴とする請求項２２記載の増強具。
【請求項２９】
支持部材は管体であることを特徴とする請求項１記載の増強具。
【請求項３０】
支持部材は金属、プラスチック、ナイロン、コンポジット材あるいは繊維で提供されていることを特徴とする請求項１記載の増強具。
【請求項３１】
支持部材は先端に至る略半ハート型弓状部を含んでおり、２体の増強具が並んで使用されると両方で略ハート形状を提供することを特徴とする請求項１記載の増強具。
【請求項３２】
支持部材に連結された調整機構をさらに含んでおり、本増強具の高さを選択的に調整させ、対象台、マットレス並びに利用者のサイズと高さに合わせることを特徴とする請求項１記載の増強具。
【請求項３３】
調整機構は望遠鏡型管体あるいはピン調整型管体であることを特徴とする請求項３２記載の増強具。
【請求項３４】
利用性増強具組立キットであって、
増強具の固定用である基端と先端とを有した支持部材と、支持部材の先端と連結した連結具であって、連結具に補助具を連結させ、利用性と美観とを増進させる連結具と、
を含んで構成されることを特徴とする組立キット。
【請求項３５】
支持部材と連結され、本増強具を対象物体に固定させる支持部材固定機構をさらに含んでいることを特徴とする請求項３４記載のキット。
【請求項３６】
支持部材固定機構は取付部をさらに含んでおり、支持部材を着脱式に搭載させることを特徴とする請求項３５記載のキット。
【請求項３７】
支持部材は支持部材固定機構と回動式に連結されており、固定された支持部材固定機構に対して回動できることを特徴とする請求項３６記載のキット。
【請求項３８】
停止機構をさらに含んでおり、支持部材固定機構に対する支持部材の回動を阻止することを特徴とする請求項３７記載のキット。
【請求項３９】
停止機構は、支持部材の基端に設けられた溝口と、取付部から突起する突起部とを含んでおり、突起部は溝口に進入係合して支持部材固定機構に対する支持部材の回動を阻止することを特徴とする請求項３８記載のキット。
【請求項４０】
連結具で連結される補助具をさらに含んでいることを特徴とする請求項３９記載のキット。
【請求項４１】
補助具は、ストラップ、柄、鎖、手錠、吊具、キャンドルホルダー、電灯あるいはプラントホルダーであることを特徴とする請求項４０記載のキット。
【請求項４２】
補助具は手錠であり、その一部に金属、皮革、毛皮、ロープ、プラスチック、ナイロン、コンポジット材あるいは繊維が使用されていることを特徴とする請求項４１記載のキット。
【請求項４３】
補助具はストラップであり、その一部に皮革、毛皮、ロープ、プラスチック、ナイロン、コンポジット材あるいは繊維が使用されていることを特徴とする請求項４２記載のキット。
【請求項４４】
補助具は幅広帯体であり、第１増強具の連結具並びに第２増強具の連結具と連結されて座部を提供し、利用者を持ち上げるのに利用されることを特徴とする請求項４３記載のキット。
【請求項４５】
補助具は身体吊具であり、複数の増強具の連結具と連結される複数の取付部を有しており、利用者を持ち上げるのに利用されることを特徴とする請求項４４記載のキット。
【請求項４６】
支持部材は管体であることを特徴とする請求項４５記載のキット。
【請求項４７】
支持部材は金属、プラスチック、ナイロン、コンポジット材あるいは繊維で提供されていることを特徴とする請求項４６記載のキット。
【請求項４８】
支持部材は先端に至る略半ハート型弓状部を含んでおり、２体の増強具が並んで使用されると両方で略ハート形状を提供することを特徴とする請求項４７記載のキット。
【請求項４９】
支持部材固定機構は平坦状であり、マットレスとボックススプリングとの間で挟持されて本増強具を固定させることを特徴とする請求項４８記載のキット。
【請求項５０】
支持部材に連結された調整機構をさらに含んでおり、増強具の高さを選択的に調整させ、対象台、マットレス並びに利用者のサイズと高さに合わせることを特徴とする請求項４９記載のキット。
【請求項５１】
調整機構は望遠鏡型管体あるいはピン調整型管体であることを特徴とする請求項５０記載のキット。
【請求項５２】
停止機構をさらに含んでおり、支持部材固定機構に対する支持部材の回動を阻止することを特徴とする請求項３５記載のキット。
【請求項５３】
停止機構は、支持部材の基端に設けられた溝口と、取付部から突起する突起部とを含んでおり、突起部は溝口に進入係合して支持部材固定機構に対する支持部材の回動を阻止することを特徴とする請求項５２記載のキット。
【請求項５４】
支持部材固定機構は平坦状であり、マットレスとボックススプリングとの間で挟持されて増強具を固定させることを特徴とする請求項３５記載のキット。
【請求項５５】
支持部材は支持部材固定機構と回動式に連結されるように設計されており、固定された支持部材固定機構に対して回動できることを特徴とする請求項３５記載のキット。
【請求項５６】
連結具で連結される補助具をさらに含んでいることを特徴とする請求項３４記載のキット。
【請求項５７】
補助具は、ストラップ、柄、鎖、手錠、吊具、キャンドルホルダー、電灯あるいはプラントホルダーであることを特徴とする請求項５６記載のキット。
【請求項５８】
補助具は手錠であり、その一部に金属、皮革、毛皮、ロープ、プラスチック、ナイロン、コンポジット材あるいは繊維が使用されていることを特徴とする請求項５６記載のキット。
【請求項５９】
補助具はストラップであり、その一部に皮革、毛皮、ロープ、プラスチック、ナイロン、コンポジット材あるいは繊維が使用されていることを特徴とする請求項５６記載のキット。
【請求項６０】
補助具は幅広帯体であり、第１増強具の連結具並びに第２増強具の連結具と連結されて座部を提供し、利用者を持ち上げるのに利用されることを特徴とする請求項５６記載のキット。
【請求項６１】
補助具は身体吊具であり、複数の増強具の連結具と連結される複数の取付部を有しており、利用者を持ち上げるのに利用されることを特徴とする請求項５６記載のキット。
【請求項６２】
支持部材は管体であることをとく長とする請求項３４記載のキット。
【請求項６３】
支持部材は金属、プラスチック、ナイロン、コンポジット材あるいは繊維で提供されていることを特徴とする請求項３４記載のキット。
【請求項６４】
支持部材は先端に至る略半ハート型弓状部を含んでおり、２体の増強具が並んで使用されると両方で略ハート形状を提供することを特徴とする請求項３４記載のキット。
【請求項６５】
支持部材に連結された調整機構をさらに含んでおり、増強具の高さを選択的に調整させ、対象台、マットレス並びに利用者のサイズと高さに合わせることを特徴とする請求項３４記載のキット。
【請求項６６】
調整機構は望遠鏡型管体あるいはピン調整型管体であることを特徴とする請求項６５記載のキット。
【発明の詳細な説明】
【技術分野】
【０００１】
本発明は寝具類改善具に関する。さらに特定すれば、寝具類の利用性並びに美観を増強させる寝具類利用性増強具に関する。
【背景技術】
【０００２】
歴史的に寝具あるいはベッドは就寝用、性交用及び休息用として利用されてきた。ベッド類（寝具類）の利用性を増強するため、様々な装置や器具が考案されてきた。例えば、ストラップや吊具は良く知られており、多様に利用され、多彩な形態で製造されてきた。ストラップや吊具は診察目的で医院において使用され、怪我や手術後の回復のための医療用身体保持具として家庭でも使用されてきた。さらに、臀部、脚部及び腕部のごとき身体部の保持具として性交時にも利用されてきた。
【０００３】
種々な器具が夫婦間交渉時での使用のために提案され、性交相手によって操作され、望む体位や両者間の相対的動作を確立させてきた。そのような器具は珍品、玩具、感度促進具及び補助具として利用が可能である。性交を妨げるような身体的不自由を一方が罹患しているときにもそれら器具は便利に利用できる。そのような器具には次のごときものが存在する。
【０００４】
フィリップスの米国特許７８４４２５は持ち運び式鐙具を開示する。この鐙具は、（１）台やベッドの上に載置し、利用者の臀部を支持する平坦支持面と、（２）平坦支持面に固定された鐙体または脚載具と、（３）ベッドの手摺に係留させて鐙具をベッドに安定的に固定させる係留機構と、を含んでいる。
【０００５】
ウィリアムズの米国特許８２８００７は持ち運び折畳式手術台を開示する。この手術台は、（１）患者の臀部/背部を支持する中間部と、（２）踵載置部を含んだ一体的名足載具と、を含んでいる。この手術台はベッド上またはソファー上に載置可能であり、ストレッチャーとしても利用できる。
【０００６】
ギルバートの米国特許１８９４７３９は、患者の臀部または背部を支持する折畳式中央部を有し、足載部に代えて膝載部を含んでいる持ち運び折畳式手術台を開示する。
【０００７】
スキャリジッチ他の米国特許２９７８７１３は、ベッドへの機械的固定機構を必要とせずに診察台をベッドに係留させる中央平坦支持部を有した持ち運び式診察台を開示する。１対の膝載具が直立側部にそれぞれ調整式に連結されている。
【０００８】
カールソンの米国特許３２２７４３９は垂直軸周囲を回動する脚支持部を利用する手術台を開示する。同様な特許にはスコットの米国特許３２２７４４０及びサラフィアン他の米国特許４２３９２００が存在する。横方向に回動する脚保持具を有した鐙具はワルトンの米国特許３５８５１３において開示されている。
【０００９】
エッゾの米国特許は、平坦支持体の１端に回転式に搭載された横断/曲型脚支持部材を備えた診察台上に載置させる中央平坦支持体を含んだ持ち運び式診察台を開示する。１対の成型プラスチック鐙具が横断脚支持部材の両側に固定されている。この診察台が横断/曲型支持部材と共に設置されると、臀部を中央部に載置した患者は自身の足を鐙具内に滑込ませることができる。
【００１０】
ニューティの米国特許４９４０２８６はベッド付属具を開示する。この付属具は臀部支持部を含み、水平に回動でき、性交を補助する左右支持部を有している。この付属具は、腕の無い個人や、他の身体部位が不自由な個人に対して特に有用である。
【００１１】
マターン・ジュニアの米国特許６１０１６５２は秘匿することができる性交用または診察用の折畳式脚鐙具を開示する。使用後にこの鐙具はベッドのマットレス/ボックススプリング間や、ソファーや椅子の座部下側または診察台のマットレス/クッションやフレーム間に隠匿することができる。
【００１２】
しかしながら、それら器具のいずれも、本発明が提供する強度、支持力または美観を有せず、ベッド脇に維持して使用することができない。よって、寝具あるいはベッドの利用性を増強させることができるベッド利用性増強具に対する需要が存在する。
【発明の開示】
【発明が解決しようとする課題】
【００１３】
本発明は寝具類改善具に関し、さらに特定すればベッドの利用性と美観とを増強する寝具類利用性増強具に関する。
【課題を解決するための手段】
【００１４】
本願は２００３年１０月１７日出願の米国仮特許願６０/５１２１３０「鐙具」の優先権を主張する。
【００１５】
この増強具は、ベッド類利用性増強具を固定的にベッドに搭載させる支持部材固定機構と、支持部材固定機構に着脱式に搭載可能で基端と先端とを有した支持部材と、支持部材の先端に連結された連結具とを含んでいる。
【００１６】
支持部材は支持部材固定機構に取付部を介して回動式に連結され、支持部材固定機構と相対的に支持部材は回転することができる。停止機構が利用性増強具に提供されており、停止機構が作用しているときには支持部材は支持部材固定機構に対して回動できない。
【００１７】
停止機構は支持部材の基端に溝口を有しており、取付部から突起する突起部をさらに有している。突起部は溝口内に進入して係合できる。突起部と溝口とが係合すると、支持部材固定機構に対して支持部材は回動できない。
【００１８】
別の特徴では、利用性増強具は連結具で着脱式に連結される補助具をさらに含むことができる。この補助具とは、ストラップ、柄、鎖、手錠、吊具、キャンドルホルダー、電灯及びプラントホルダー等である。
【００１９】
別の特徴では補助具は手錠であり、その手錠の一部は、金属、皮革、毛皮、ロープ、プラスチック、ナイロン、コンポジット材及び繊維で成る群から選択されるものである。
【００２０】
さらに別な特徴では補助具はストラップであり、そのストラップの一部は、皮革、毛皮、ロープ、プラスチック、ナイロン、コンポジット材及び繊維で成る群から選択されるものである。
【００２１】
さらに別な特徴では補助具は幅広帯体であり、第１利用性増強具の連結具並びに第２利用性増強具の連結具で連結し、幅広帯体を座部として使用できるものであり、利用者をベッド上方に持ち上げる。
【００２２】
さらに別な特徴では補助具は複数の連結部分を有した身体吊具であり、複数の利用性増強具に連結具で連結されており、利用者の身体をベッド上方に持ち上げさせる。
【００２３】
さらに別な特徴では支持部材は管体であり、金属、プラスチック、ナイロン、コンポジット材及び繊維で成る群から選択される材料で提供される。支持部材は先端まで延びる弓状部を有しており、弓状部は略ハート形の片方の形状を有しており、２体の利用性増強具の組み合わせによって両者は略ハート形を提供する。
【００２４】
さらに別な特徴では支持部材固定機構は略平坦状であり、支持部材固定機構をマットレスとボックススプリングとの間に設置させ、ベッドの重量によって利用性増強具を固定させる。
【００２５】
さらに別な特徴では利用性増強具は支持部材で連結される調整機構をさらに含んでおり、利用性増強具の高さを選択式に調整させ、異なる大きさや高さの診察台、マットレス及び利用者に合わせることができる。
【００２６】
専門家であれば理解しようが、上述の利用性増強具は本発明を限定するものではなく、例えば組立キット式とすることもできる。
【発明を実施するための最良の形態】
【００２７】
本発明の目的、特徴及び利点は、添付の図面を利用した以下に続く本発明の詳細な説明からさらに明瞭となろう。
【００２８】
本発明は寝具類利用性増強具に関し、特にはベッドの利用性と美観とを増強するベッド利用性増強具に関する。
【００２９】
添付の図面に関する以下の説明は本発明の実施のために提供されている。それらの様々な改良や別利用法は本発明の範囲内において可能である。よって、本発明はそれら実施例によって限定されることはない。
【００３０】
図１には本発明の１実施例による利用性増強具１００が図示されている。増強具１００は支持部材固定機構１０２と、支持部材１０４と、連結具１０６と、仲介コネクター１１１と、補助具１１２とを含んでいる。
【００３１】
支持部材固定機構１０２はどのような形状で提供されても構わず、どのような方法で固定されても構わない。また、支持部材固定機構１０２をベッドに固定したり、床に固定したり、天井に固定させることができる。例えば、支持部材固定機構を天井や床にボルト固定できるように設計することができる。あるいは、コンクリート床に支持部材１０４をセメントで固定させたコンクリート床そのものであっても構わない。
【００３２】
もちろん、支持部材固定機構１０２はベッドに利用性増強具１００を固定させるものでもよい。この場合には支持部材固定機構１０２は略平坦状に提供され、ベッドまたは診察台（図示せず）のボックススプリングとマットレスの間で挟持させる。この場合、マットレスの重量やマットレス上の利用者の重量によって支持部材固定機構１０２はベッドに安定的に搭載される。
【００３３】
支持部材固定機構１０２は支持部材１０４との連結のための取付機構１０７をも含んでいる。支持部材固定機構１０２はどのような頑丈な材料で製造してもよい。例えば、金属やプラスチック材が利用できる。さらに、支持部材固定機構１０２は様々な形態で提供できる。例えば、図１で示すようなプレート状のものや、図２で示すような曲加工された管体/棒体であってもよい。
【００３４】
支持部材１０４は先端１０８と基端１１０とを有している。支持部材１０４の基端１１０は取付機構１０７に連結されている。取付機構１０７と支持部材１０４は管体として図示されているが、他の形態であっても構わない。支持部材１０４はいかなる剛性材料または柔軟性材料で提供されても構わない。例えば、金属やプラスチック材である。強度と安全性は必須であるが、フレキシブルな支持部材１０４や剛性の支持部材１０４が利用できる。
【００３５】
連結具１０６は支持部材１０４の先端１０８に連結されている。連結具１０６は、１物体を他物体と連結させることができるどのような機構や器具であっても構わない。例えば、支持部材１０４に対して回転できるフック体やリング体でよい。
【００３６】
仲介コネクター１１１は連結具１０６で取付けが可能である。仲介コネクター１１１は、１物体を他物体と連結させることができるどのような機構や器具であってもよい。例えば、リングやブランコで使用される掛係具でよい。
【００３７】
仲介コネクター１１１は連結具１０６に永久固定されても着脱式に固定されてもよい。仲介コネクター１１１の利用によって使用者は補助具１１２を選択的に連結具１０６と連結させ、使用者の身体部分または装飾品を保持させ、ベッドの利用性と美観とを増強させることができる。
【００３８】
仲介コネクター１１１を補助具１１２と別々にしても、一体的なものとしてもよい。補助具１１２はどのような機構または器具であってもよい。例えば、ストラップ、柄、鎖、手錠、吊具、キャンドルホルダー、光源及びプラントホルダーでよい。
【００３９】
補助具１１２の感触、強度及び快適性を変えるため、補助具１１２の一部を特殊材料で製作することができる。例えば、金属、皮革、毛皮、ロープ、プラスチック、フォーム材、ナイロン、コンポジット材及び繊維である。
【００４０】
図３は支持部材１０４の基端１１０に着脱式に搭載させるための取付機構１０７を有した支持部材固定機構１０２を図示する。支持部材１０４は取付機構１０７と固定式または回動式に連結できる。取付機構１０７は支持部材固定機構１０２と固定されるか一体的に提供され、支持部材１０４を支持及び保持する。
【００４１】
取付機構１０７は取付機構１０７を支持部材１０４と連結させるための取付部３０１を有した肘部３００を含む。取付部３０１は支持部材１０４と取付機構１０７とを連結させることができるどのような形態であってもよい。例えば、取付部３０１は取付機構１０７と一体的に提供することも、取付機構１０７に穴部３０２を設けて挿入体３０４を受領させることもできる。
【００４２】
挿入体３０４は取付部３０１として作用する。連結されると支持部材１０４は、取付部３０１、取付機構１０７及び支持部材固定機構１０２に対して回動できる。支持部材１０４と、取付部３０１、取付機構１０７および支持部材固定機構１０２との間の回転を防止するため、停止機構３０５が利用性増強具１００に提供される。
【００４３】
停止機構３０５は２物体間の相対回動を防止することができるどのような機構、形態あるいは器具であっても構わない。例えば、取付部３０１に突起部３０６を含ませ、支持部材１０４の基端１１０に溝口３０８を含ませる。この場合には、突起部３０６が溝口３０８と進入係合したとき、支持部材１０４は取付機構１０７と支持部材固定機構１０４に対して回動できない。
【００４４】
ここで開示する回動式連結は本発明の例示のみを目的としており、支持部材固定機構１０２と支持部材１０４とを回動式に連結させることができるどのような同様な手段も本発明の範囲内である。
【００４５】
図４はベッド４００に搭載された状態の１対の利用性増強具１００を図示する。図示のごとく支持部材固定機構１０２は略平坦状であり、ベッド４００のボックススプリング４０４とマットレス４０６との間の領域４０２内に挟持されており、支持部材固定機構１０２をベッド４００に固定させている。
【００４６】
図示するベッドマットレス４０６やボックススプリング４０４は例示目的であり、図示のマットレス４０６は椅子やソファーのクッションでもよい。その場合、ボックススプリング４０４は椅子やソファーのフレームにより置換される。あるいは、ベッドマットレス４０６は診察台マットレスまたは診察台クッションであり、ボックススプリング４０４は診察台フレームである。
【００４７】
よって、増進具１００の対象はベッド、椅子、ソファーおよび診察台に限定されず、使用者の脚や他の身体部をそれぞれの支持部材１０４で保持するどのようなリクライニング形態具、軽寝台あるいは腰掛具であってもよい。
【００４８】
ベッド４００に利用される場合には、マットレス４００の重量が支持部材固定機構１０２をその場で保持する。平坦状態であるため支持部材固定機構１０２はベッド４００や診察台の用途を妨害することなく利用ポジションに設置できる。着脱式の支持部材１０４を支持部材固定機構１０２から取り外し、支持部材固定機構１０２をマットレス４０６とボックススプリング４０４との間に残しておくことができる。
【００４９】
取り外されて非利用時には、支持部材固定機構１０２はソファーや診察台の利用を妨害することなくソファーのクッション下側や診察台のマットレスとフレームとの間に隠匿することができる。着脱が容易であるため、利用性増強具１００の部品は保管のために分離でき、使用時には容易に組み立てることができる。
【００５０】
支持部材１０４の第１部分４０８は、ベッド４００の立体形状に従って形状化された弓状部４１０を有し、先端１０８をベッド４００上方で配置させる。このように、支持部材１０４はマットレス４０６とボックススプリング４０４から突出し、マットレス４０６の側面４１２に沿って上昇し、マットレス４０６の上面４１４上方に延び出る。
【００５１】
図示の第１部分４０８は直線状であるが、追加の強度と美観のために弓形とすることができる。さらに、第１部分に調整機構４１６を提供し、高さ４１８を調節させて寝台、マットレスおよび利用者個人の大きさや高さに増強具１００を合わせる。
【００５２】
調整機構４１６は高さ４１８を選択的に調整できるどのような機構や器具であっても構わない。例えば、望遠鏡型管体やピン調整型管体であってもよい。望遠鏡型調整機構はカメラ用三脚で普通に見られる。内側筒が外側筒内に収容され、それら２筒は締付機構でロックされる。
【００５３】
ピン調整型は長さ調整式杖に通常に使用されており、第２の外側筒内の複数の穴の１つに係止する第１の内側筒内にバネ式ピン体が提供されている。これらや他の機構または器具は支持部材１０４の先端１０８並びに弓状部４１０を選択的に上昇、下降および調整させる。
【００５４】
使用時には、支持部材１０４は、取付機構３００と取付部分３０１を介して支持部材固定機構１０２の上方で回動され、望むポジション並びに位置に配置される。利用性増強具１００がベッド、ソファー、椅子、診察台等の上で利用されるときには利用者は支持部材固定機構１０２の上に直接的に臀部を置くことになる。
【００５５】
支持部材固定機構１０２がベッド、ソファー、椅子、診察台等の下側で固定された状態で利用性増強具１００が利用されるときには利用者は支持部材固定機構１０２の上方に間接的に臀部を置くことになる。
【００５６】
従って、利用性増強具１００はベッド上で直接的にでも使用でき、あるいは、ベッドマットレス４０６とボックススプリング４０４との間、あるいはソファーや椅子のクッションの下側に支持部材固定機構１０２を挟持させた状態で使用することもできる。
【００５７】
補助具１１２が仲介コネクター１１１により取り付けられると、増強具１００は使用状態となる。このように使用される場合、支持部材固定機構１０２は利用者の下方に位置し、利用者の重量を支持部材１０４から支持部材固定機構１０２へと伝達させる。
【００５８】
前述したように、いくつかの異なる種類の補助具１１２が仲介コネクター１１１を介して取り付けられる。図４で示す輪型足載具４２０は利用者の脚部を支持するのに使用できる。足載具４２０は腰部コントロール、重量解放及び/又はさらなる快楽を提供する。図示の補助具１１２は例示のためであり、足部、腕部、脚部等を支持する他の補助具１１２でも同様に利用が可能である。
【００５９】
利用後には、利用性増強具１００は補助具１１２と共にその場に放置されるか、他の目的に利用されるか、分解して片付けることができる。
【００６０】
図５で示すように、複数の利用性増強具１００を連結して同時使用することができる。例えば、補助具１１２を幅広帯体５００とすることができる。仲介コネクター１１１を介して幅広帯体５００を第１増強具５０２の連結具１０６および第２増強具５０４の連結具１０６とに連結できる。第１増強具５０２および第２増強具５０４に連結されると、幅広帯体５００は座部として利用可能になり、利用者をベッド４０の上面４１４の上方に持ち上げることができる。
【００６１】
図６で示す別な実施例では、補助具１１２は身体吊具６００であり、複数の増強具１００を固定させるために複数の取付部６０２を含んでいる。例えば、身体吊具６００は４体の増強具１００を取り付ける４体の取付部６０２を含んでいる。身体吊具６００の利用で利用者の身体はベッド４００の上面４１４の上方に持ち上げられる。
【００６２】
図７は本発明の別の特徴を図示する。本実施例では補助具１１２はキャンドルホルダー７００である。キャンドルホルダー７００はキャンドルを保持できるどのような形態でもよい。例えば、キャンドルホルダー７００は支持台７０４を有してキャンドル７０２を載置する。キャンドル７０２を載せたキャンドルホルダー７００は利用性増強具に取り付けられ、寝室の美観を向上させ、あるいは特定のロマンティックな雰囲気を醸し出させる。
【００６３】
図８で図示する補助具１１２はプラントホルダー８００である。プラントホルダー８００の場合、補助具１１２は植物を保持できるどのような形態であってもよい。例えば、プラントホルダー８００は窪部８０６を保持する載置台８０４を有することができる。その美観のため、増進具を分離したり隠蔽する代わりに、プラントホルダー８００を備え付けた状態で増強具をそのまま残すこともできる。
【００６４】
図９はベッド４００に搭載された状態の１対の利用性増強具１００の正面図である。各支持部材１０４を略半ハート形の形状とすることができる。２体の支持部材固定機構１０２を同一面で隣接させると、２つの弓状部４１０は略ハート形を形成する。このような形状で設置すると、利用性増強具１００の美観は向上する。その結果、増強具１００を分解したり隠蔽する代わりに、増強具１００を装飾置物のように展示することができる。
【図面の簡単な説明】
【００６５】
【図１】本発明の１実施例による利用性増強具の斜視図である。
【図２】本発明の１実施例による支持部材固定機構の斜視図である。
【図３】本発明の１実施例による支持部材固定機構の取付機構の斜視図である。
【図４】ベッドに搭載された状態の２体の利用性増強具を示す斜視図である。
【図５】第１利用性増強具の連結具と第２利用性増強具の連結具とに連結された状態の幅広帯体を示す斜視図である。
【図６】複数ペアの利用性増強具に連結された身体吊具を示す斜視図である。
【図７】本発明の１実施例によるキャンドルホルダーの斜視図である。
【図８】本発明の１実施例によるプラントホルダーの斜視図である。
【図９】ベッドに搭載された状態の２体の利用性増強具を示す正面図である。
【図１】
2007510442.tif 000003
【図２】
2007510442.tif 000004
【図３】
2007510442.tif 000005
【図４】
2007510442.tif 000006
【図５】
2007510442.tif 000007
【図６】
2007510442.tif 000008
【図７】
2007510442.tif 000009
【図８】
2007510442.tif 000010
【図９】
2007510442.tif 000011
【国際調査報告】
2007510442.tif 000012
2007510442.tif 000013
2007510442.tif 000014